(57)【要約】【課題】衝撃力を効果的に吸収し大型化を抑止したデジタルカメラを提供する。【解決手段】入射被写体光を光軸上に位置する撮像素子２５へ導いて光学像を結像させる光学系を有し全体として扁平形状の光学筐体４と、一方の面が上記扁平な光学筐体の外面に固定された衝撃吸収部材２４と、上記衝撃吸収部材の他方の面に固定された薄板２３と、が一体的に組み付けられた組付体と、組付体を収納する収納部を有するカメラ本体と、を備え、薄板は組付体がカメラ本体収納部に収納された際、収納部の内面に対する移動が規制された状態で配置され、カメラ本体が外部から衝撃力を受けた際、組付体は、カメラ本体収納部において移動が規制された薄板に対して光学筐体を変位させることにより衝撃吸収部材を剪断変形させ、光学筐体の変位を衝撃吸収部材の剪断変形により吸収する。【選択図】図４
2011130506.tif 000002
【特許請求の範囲】
【請求項１】
入射してきた被写体光を光軸上に位置する撮像素子へ導いて光学像を結像させるための光学系を有し、全体として扁平な形状をした光学筐体と、一方の面が上記扁平な光学筐体の外面に固定された衝撃吸収部材と、上記衝撃吸収部材の他方の面に固定された薄板と、が一体的に組み付けられた組付体と、
上記組付体を収納する収納部を有するカメラ本体と、
を具備し、
上記組付体を形成する薄板は、当該組付体が上記カメラ本体の収納部に収納された際、当該収納部の内面に対する移動が規制された状態で配置され、
上記カメラ本体が外部から衝撃力を受けた際、上記組付体は、上記カメラ本体収納部において移動が規制された上記薄板に対して上記光学筐体を変位させることにより上記衝撃吸収部材を剪断変形させ、当該光学筐体の変位を当該衝撃吸収部材の剪断変形により吸収するようにしたことを特徴とするデジタルカメラ。  
【請求項２】
上記組付体を形成する薄板には、上記衝撃吸収部材と上記薄板とを接着固定する際、余分な接着剤を逃がすための孔部が形成されていることを特徴とする請求項１に記載のデジタルカメラ。
【請求項３】
上記カメラ本体の収納部内面には、上記組付体を形成する薄板と係合するための係止突起が設けられ、上記組付体を形成する薄板には該係止突起に係止する切欠部が設けられ、該薄板の切欠部を上記カメラ本体収納部の係止突起に係止することにより、上記薄板を上記カメラ本体収納部の内面に係止して上記組付体を上記カメラ本体収納部に収納配置することを特徴とする請求項１に記載のデジタルカメラ。
【請求項４】
上記組付体を形成する光学筐体には、第１の光軸に沿って入射してきた被写体光を、当該第１の光軸と垂直な第２の光軸方向へ反射させ、当該第２の光軸上に位置する撮像素子へ光学像を結像させるための折り曲げ光学系が設けられ、
上記カメラ本体の収納部内面には、上記第２の光軸を挟んでその両側に係止突起が設けられ、上記組付体を形成する薄板は該係止突起に係止する切欠部を有して、該薄板の切欠部を上記カメラ本体収納部の係止突起に係止することにより、上記薄板を上記カメラ本体収納部に対して係止して上記組付体を上記カメラ本体収納部に収納配置することを特徴とする請求項１に記載のデジタルカメラ。
【請求項５】
上記組付体を形成する光学筐体を、上記カメラ本体収納部の内面との間で挟持する押さえ部材を有し、当該押さえ部材は、上記扁平な光学筐体の外面であって、上記カメラ本体収納部の内面と対向する上記外面に垂直な方向に当該光学筐体を押圧することを特徴とする請求項４に記載のデジタルカメラ。
【発明の詳細な説明】
【技術分野】
【０００１】
この発明は、デジタルカメラ、詳しくは入射してきた被写体光を光軸上に配置される撮像素子へ導いて光学像を結像させるように構成された光学系を有する光学筐体をカメラ本体内部に収納してなるデジタルカメラに関するものである。
【背景技術】
【０００２】
従来、複数の光学レンズ等からなるレンズ鏡枠ユニットを含んで構成される光学筐体と、光学レンズによって結像される被写体の光学像を光電変換する撮像素子を含む撮像ユニット等を備えたデジタルカメラが種々実用化されている。
【０００３】
これらのデジタルカメラは、使用者が常に携行して持ち運び、気軽に場所を選ばずに使用することができるように、常に機器全体の小型化が望まれている。
【０００４】
一方、使用者がデジタルカメラを常に携行するようになると、例えばデジタルカメラの携行中に誤って落下させたり、意図せずに壁等に衝突させてしまう等の可能性が多くなる。しかしながら、このようなデジタルカメラは極めて精密に構成される機器であるので、外部から衝撃力を受けると、その外力の影響は内部構成物にまで及ぶことがあり、それによって内部構成物を破損させたり故障させてしまうことにもなりかねない。
【０００５】
そこで、従来のデジタルカメラ等の小型機器においては、落下等の衝撃に対応するために、機器本体の内面に内部構成物が移動可能となるように構成すると共に、この移動可能な内部構成物の外面と機器本体の内面との間に緩衝部材を設けるようにフローティング構造で構成したものが、例えば特開２００３−２５８９７１号公報，特開２００５−３０６０７８号公報，特開２００６−８０９８７号公報，特開２００６−４０５０３号公報等によって種々提案されている。
【０００６】
このようなフローティング構造の小型機器では、外力による衝撃力が機器本体外部に加わったとき、緩衝部材が圧縮されることで、その衝撃力が吸収されるようになっている。
【０００７】
上記特開２００３−２５８９７１号公報によって開示されている小型機器は、カメラユニットを保持しかつ輪郭を画定する本体ケースを備えた携帯電話機等であって、本体ケースを通してカメラユニットへ加わる衝撃力を緩和させるために、ユニットケースと本体ケースとの間であって、レンズの移動方向（光軸方向；Ｘ軸方向）及びそれと垂直な方向（Ｙ軸方向）のそれぞれに沿う面に緩衝部材を設けて構成している。
【０００８】
上記特開２００５−３０６０７８号公報によって開示されている小型機器は、車室内のダッシュパネルに設置される車載用プレーヤ装置であって、ダッシュパネルに組み込まれる外筐体と、この外筐体に収納される装置本体とのあいだに緩衝部材を介在させて構成している。
【０００９】
上記特開２００６−８０９８７号公報及び上記特開２００６−４０５０３号公報によって開示されている小型機器は、機器本体内に収納されるディスク状記録媒体カートリッジを着脱自在に収納するスロット部の外面と、他の内部構成物との間に緩衝部材を介在させて構成している。
【先行技術文献】
【特許文献】
【００１０】
【特許文献１】特開２００３−２５８９７１号公報
【特許文献２】特開２００５−３０６０７８号公報
【特許文献３】特開２００６−８０９８７号公報
【特許文献４】特開２００６−４０５０３号公報
【発明の開示】
【発明が解決しようとする課題】
【００１１】
ところが、上記特開２００３−２５８９７１号公報によって開示されている手段では、レンズの移動方向（Ｘ軸方向）及びそれと垂直な方向（Ｙ軸方向）のそれぞれに沿う面に緩衝部材を配設したので、レンズ移動方向（Ｘ軸方向）に衝撃力が加わった場合、緩衝部材にかかる力は押圧力と剪断力となる。この場合には、緩衝部材が圧縮された際の反発力と剪断力とが互いにその効力を打ち消し合ってしまうことになる。
【００１２】
また、デジタルカメラ等においては、光学レンズ等を有する光学筐体がカメラ本体内部に収納して構成されているのであるが、この光学筐体は、レンズ移動方向（Ｘ軸方向）以外の方向、即ちＹ軸方向，Ｚ軸方向については、カメラ本体等によって、外部からの衝撃力に対する強度が確保されていると言える。その一方で、光学筐体内の光学レンズは、例えば合焦動作や変倍動作等のために所定の方向（光軸方向）への移動が自在となるように構成されている。このことは、特に光軸に沿う方向の外力が光学筐体に加わった場合には、強度的に不利な構成であると言える。また、上述のように緩衝部材の圧縮力により衝撃を吸収する手段では、緩衝部材の圧縮に伴って生じる反発力が光学筐体に影響を及ぼすことも考えられる。
【００１３】
さらに、機器内面に緩衝部材を設ける場合、その厚み分だけ機器内部の空間が必要となる。特に光学レンズが移動する方向である光軸方向の寸法は確実に確保しなければならないという事情から、光軸方向と直交する方向に沿う面に緩衝部材を設けた場合、長手方向の大型化につながってしまうという問題点もある。
【００１４】
一方、緩衝部材を圧縮させることで衝撃を吸収させる手段では、緩衝部材の厚みが衝撃吸収性に寄与しており、緩衝部材が薄くなるほどその効果は少なくなるという傾向がある。
【００１５】
その反面、携行して使用するデジタルカメラ等にあっては、機器本体の小型化や薄型化への要求が常にあるため、機器本体と内部構成物との間に充分な衝撃吸収性能を有する緩衝部材を配設する空間を確保することは困難な状況となっているという問題点もある。
【００１６】
本発明は、上述した点に鑑みてなされたものであって、その目的とするところは、衝撃吸収部材によって生じる反発力等の影響を受けずにレンズの移動方向にかかる衝撃力を吸収し得ると共に、衝撃吸収部材を設けても機器本体の大型化を抑えることのできるデジタルカメラを提供することである。
【課題を解決するための手段】
【００１７】
上記目的を達成するために、本発明の一態様によるデジタルカメラは、入射してきた被写体光を光軸上に位置する撮像素子へ導いて光学像を結像させるための光学系を有し、全体として扁平な形状をした光学筐体と、一方の面が上記扁平な光学筐体の外面に固定された衝撃吸収部材と、上記衝撃吸収部材の他方の面に固定された薄板と、が一体的に組み付けられた組付体と、
上記組付体を収納する収納部を有するカメラ本体と、
を具備し、
上記組付体を形成する薄板は、当該組付体が上記カメラ本体の収納部に収納された際、当該収納部の内面に対する移動が規制された状態で配置され、
上記カメラ本体が外部から衝撃力を受けた際、上記組付体は、上記カメラ本体収納部において移動が規制された上記薄板に対して上記光学筐体を変位させることにより上記衝撃吸収部材を剪断変形させ、当該光学筐体の変位を当該衝撃吸収部材の剪断変形により吸収する。
【発明の効果】
【００１８】
本発明によれば、カメラ本体に衝撃を受けたときにレンズの移動方向にかかる衝撃力を吸収し得ると共に、衝撃吸収部材を設けても機器本体のレンズ移動方向の大型化を抑えることができる。
【図面の簡単な説明】
【００１９】
【図１】本発明の一実施形態のデジタルカメラの外観を示す斜視図。
【図２】本実施形態のデジタルカメラの背面を示す背面図。
【図３】本実施形態のデジタルカメラのカメラ本体に対する光学筐体の配置状態を概略的に示す要部拡大図。
【図４】本実施形態のデジタルカメラのカメラ本体と光学筐体を取り出してその組み立て構造を示す分解斜視図。
【図５】本実施形態のデジタルカメラの光学筐体の前面に配設される衝撃吸収手段を分解して示す分解斜視図。
【図６】本実施形態のデジタルカメラの光学筐体の前面に衝撃吸収手段が取り付けられた状態を示す組立図。
【図７】本実施形態のデジタルカメラにおける衝撃吸収手段のみを取り出して示す要部拡大斜視図。
【図８】本実施形態のデジタルカメラの光学筐体の衝撃吸収手段の取り付け部位の断面（図６の［８］−［８］線に沿う断面）を拡大して示す要部拡大断面図。
【発明を実施するための最良の形態】
【００２０】
以下、図示の実施の形態によって本発明を説明する。
【００２１】
図１〜図８は、本発明の一実施形態を示す図である。このうち図１は、本実施形態のデジタルカメラの外観を示す斜視図である。図２は、本実施形態のデジタルカメラの背面を示す背面図である。この図２においては、デジタルカメラの背面側の一部を破いて内部に設けられる光学筐体の配置を示している。図３は、本デジタルカメラのカメラ本体に対する光学筐体の配置状態を概略的に示す要部拡大図である。図４は、本実施形態のデジタルカメラのカメラ本体と光学筐体を取り出してその組み立て構造を示す分解斜視図である。図５，図６は、本実施形態のデジタルカメラの光学筐体を取り出してその前面側から見た外観斜視図であって、図５は光学筐体の前面に配設される衝撃吸収手段を分解して示す分解斜視図である。図６は、光学筐体の前面に衝撃吸収手段が取り付けられた状態を示す組立図である。図７は、本実施形態のデジタルカメラにおける衝撃吸収手段のみを取り出して示す要部拡大斜視図である。図８は、本実施形態のデジタルカメラの光学筐体の衝撃吸収手段の取り付け部位の断面（図６の［８］−［８］線に沿う断面）を拡大して示す要部拡大断面図である。
【００２２】
本実施形態のデジタルカメラ（以下、カメラと略記する）１は、略直方体の箱型形状からなるカメラ本体と、このカメラ本体の内部に組み付けられる光学筐体４等や各種のユニット，電気回路等の内部構成物と、カメラ本体の表面上に配設され内部構成物に連繋する各種の操作部材等によって主に構成されている。
【００２３】
本実施形態のカメラ１を構成する光学筐体４は、第１の光軸に沿って入射してきた被写体光を、この第１の光軸に対して直交する第２の光軸方向へと折り曲げて、この第２の光軸上に配置される撮像素子の受光面に光学的な被写体像を結像させるように構成される折り曲げ光学系や、シャッタ，レンズ駆動装置等を含むレンズ鏡枠ユニットによって主に構成されている。
【００２４】
また、本実施形態のカメラ１を構成するカメラ本体は、図に示すように、前面，両側面，上面，底面を覆うように形成される前面カバー部材２と、主に背面側を覆うように形成される背面カバー部材３とを組み合わせた形態で箱形状に構成されている。そして、このカメラ本体内部の所定の部位には光学筐体４が移動可能に配置されている。
【００２５】
カメラ本体の背面側の背面カバー部材３には、例えばズーム用のＴボタン及びＷボタン，動作モード設定ボタン，撮影及び再生動作切換ボタン，メニュー表示操作ボタン，撮影領域切換ボタン（マクロボタン），ストロボモード切換ボタン，セルフタイマーボタン，露出補正切換ボタン等等、撮影及び再生時に実行すべき各種の操作入力を行う際に用いられる複数の操作部材１３と、表示装置の表示部１６が設けられている。
【００２６】
背面カバー部材３の略中央部には、表示部１６の表示が外部に向けて露出し得るように表示窓１６ａ（図４参照）が開口している。カメラ本体の上面側にはシャッターボタン１４，電源操作ボタン１５等の操作部材が配設されている。
【００２７】
前面カバー部材２には、当該カメラ本体内部に設けられる光学筐体４（図１では図示せず）に対して光束を入射させるための撮影用窓２ｄや閃光発光装置の発光用窓２ｅ等が開口されている。
【００２８】
カメラ１は、前面カバー部材２と背面カバー部材３とを組み合わせた状態で、両者の四隅の部位をネジ等の連結部材を用いて互いに固設することで箱形状のカメラ本体が形成されるようになっている。
【００２９】
このように形成されるカメラ本体の内部空間には、光学筐体４や表示装置等の複数の内部構成ユニットや、各種の電気回路を形成する複数の回路基板及び電気部材等（例えば図４に示すメイン基板１８やストロボコンデンサ１７等）が各所定の部位に配設されている。
【００３０】
本実施形態においては、これら複数の内部構成物のうち特に光学筐体４の配置に着目する。
【００３１】
光学筐体４は、全体として扁平な形状をしており、前面カバー部材２の撮影用窓２ｄ（図１参照）から第１の光軸Ｏ１に沿って入射してきた被写体からの光束を、反射プリズム（特に図示せず）によって第１の光軸Ｏ１に対して直交する方向へと折り曲げて、折り曲げられた後の第２の光軸Ｏ２上であって当該光学筐体４の底面側に配設されている撮像素子２５（図３参照）側へと導き、その受光面上に光学的な被写体像を結像させるように構成される折り曲げ光学系を構成する複数の光学レンズ及びそのレンズ保持枠等からなるレンズ鏡枠ユニットを有している。
【００３２】
また、特に詳細な図示は省略しているが、光学筐体４は、このほかにも例えばシャッタユニット，このシャッタユニットを駆動するシャッタ駆動モータ，フォーカシングモータ，ズーミングモータ，撮像素子２５（図３参照）を実装した電気基板等が一体に、光軸Ｏ２方向に移動可能となるように構成されている。これらの各構成部材や、その配置については、本発明とは直接関連しない部分であるので、一般的な折り曲げ光学系を有する光学筐体を備えたカメラの構成に準ずるものとして、その詳細説明は省略する。
【００３３】
この光学筐体４は、本カメラ１のカメラ本体の内部において、例えば図２に示すようにカメラ本体内部の一方の側面に寄った所定の部位に配設されている。なお、光学筐体４のカメラ本体内部における配置については、本実施形態の例に限ることはなく、例えばカメラ本体内部の略中央部分に配設するようにしてもよい。
【００３４】
この場合において、カメラ１の前面カバー部材２の内面には、図３に示すように光学筐体４をその第２の光軸Ｏ２に沿う方向にのみ摺動自在に収納するように収納部２ｘが形成されている。なお、図３において斜線で示される枠内の部位が、収納部２ｘに相当することを示している。
【００３５】
この収納部２ｘは、カメラ１の前面カバー部材２の内面に光学筐体４の外形形状に合わせて段差をつけて形成されており、光学筐体４の第２の光軸Ｏ２を挟んで両側に支持部２ｆ，２ｇ，２ｈ，２ｉが設けられている。
【００３６】
そして、この収納部２ｘ内に光学筐体４が配置された状態では、これらの支持部２ｆ，２ｇ，２ｈ，２ｉに対して光学筐体４の四隅の近傍部位、即ち図３に示す符号４ｆ，４ｇ，４ｈ，４ｉの部位が面接触するようになっている。
【００３７】
つまり、光学筐体４の四隅の部位４ｆ，４ｇ，４ｈ，４ｉのそれぞれが収納部２ｘの支持部２ｆ，２ｇ，２ｈ，２ｉに対して面接触することによって、光学筐体４は、前面カバー部材２の収納部２ｘ内において第２の光軸Ｏ２に沿う方向にのみ摺動自在に支持されており、かつ第２の光軸Ｏ２に対して直交する方向であって図４に示すＹ軸方向への移動が規制されている。
【００３８】
さらに、当該光学筐体４の背面側の外面には、図４に示す板状オサエ部材２１（図３では図示せず）が配設されており、この板状オサエ部材２１は、前面カバー部材２の内面側に設けられる固定部材２ｊ，２ｋ，２ｌに対して複数のビス３１（図４参照）によってネジ止め固定されている。
【００３９】
つまり、光学筐体４は、前面カバー部材２の収納部２ｘ内に配置された状態で、前面カバー部材２の内面と板状オサエ部材２１との間に挟持された形態で配設されている。したがって、これにより光学筐体４は、第２の光軸Ｏ１に沿う方向であって、図４に示すＺ軸に沿う方向への移動が規制されている。
【００４０】
一方、光学筐体４を本カメラ１のカメラ本体の収納部２ｘに配置したとき、光学筐体４の外面（前面）と、これに対向する前面カバー部材２の内面の収納部２ｘとの間には、図４，図５等に示すように、衝撃吸収手段が配置されている。
【００４１】
この衝撃吸収手段は、図７に示すように、弾性を有するブチル系ゴム部材等からなり薄平板状に形成される衝撃吸収部材２４と、金属若しくは樹脂等からなる薄板２３とによって形成されている。
【００４２】
衝撃吸収部材２４は、一面が光学筐体４の前面の外面部分に接着固定されており、他面が薄板２３の一面に接着固定されている。この場合において、衝撃吸収部材２４の厚さ寸法や接着面積の大きさ等は、光学筐体４の重さや加わる衝撃加速度等によって決定されるものであるが、本実施形態で例示するような小型カメラ等においては、衝撃吸収部材２４の厚さ寸法としては、例えば約０．５〜１ｍｍ（ミリメートル）程度としている。
【００４３】
薄板２３は、カメラ本体１の前面カバー部材２の収納部２ｘの内面部分の所定の部位に固定されるようになっている。
【００４４】
即ち、薄板２３には、図５，図６等に示すように、衝撃吸収手段が光学筐体４に組み付けられた状態で、第２の光軸Ｏ２を挟んで対向する両側縁に切欠部２３ｍ，２３ｎが形成されている。
【００４５】
これに対して、前面カバー部材２の収納部２ｘの内面側には、衝撃吸収手段を組み付けた光学筐体４が前面カバー部材２の収納部２ｘ（カメラ本体側）に収納された状態となったとき、切欠部２３ｍ，２３ｎに対向する部位に、図４に示すように係止突部２ｍ，２ｎが形成されている。
【００４６】
これにより、衝撃吸収手段が組み付けられた状態の光学筐体４を前面カバー部材２の収納部２ｘに収納した状態においては、薄板２３の切欠部２３ｍ，２３ｎのそれぞれが、収納部２ｘの係止突部２ｍ，２ｎにそれぞれに係止されるようになっている。これにより、薄板２３は、第２の光軸Ｏ２に沿う方向（図４のＸ軸方向）への移動が規制された状態で前面カバー部材２に対して固定されている。
【００４７】
なお、薄板２３の略中央部近傍には、図５等に示すように複数の孔部が形成されている。これらの孔部は、衝撃吸収部材２４と薄板２３との間を接着固定した際に、余分な接着剤等を逃がすために設けられているものである。
【００４８】
このように構成される衝撃吸収手段は、前面カバー部材２の内面（収納部２ｘ内）と光学筐体４の前面（少なくとも一つの外面）との間に挟持されている。
【００４９】
したがって、これにより、衝撃吸収手段は、例えば衝撃により本カメラ１のカメラ本体内部で光学筐体４が相対的に第２の光軸Ｏ２に沿う方向にスライド変位したとき、カメラ本体の内面部分、即ち前面カバー部材２の収納部２ｘの内面と光学筐体４の外面部分、即ち光学筐体４の前面との間に生じる第２の光軸Ｏ２方向の剪断力によって衝撃を吸収することができるようになっている。
【００５０】
換言すれば、衝撃吸収部材２４は、上述したように弾性を有するゴム系部材からなるものであるので、剪断方向、即ち光学筐体４の第２の光軸Ｏ２に沿う方向（図４に示すＸ軸に沿う方向；光学レンズが移動する方向）の外力（なお、Ｘ軸方向の分力を含む）が加わった場合には、衝撃吸収部材２４が剪断変形することによって光学筐体４をカメラ本体（前面カバー部材２）に対して相対的に同方向（第２の光軸Ｏ２に沿う方向であってＸ軸に沿う方向）に若干移動させ得るようになっている。
【００５１】
そして、この場合において、光学筐体４が第２の光軸Ｏ２に沿う方向（Ｘ軸に沿う方向）に移動することを許容して光学筐体４がカメラ本体と干渉するのを避けるために、光学筐体４の移動方向（第２の光軸方向）の両端部とカメラ本体内面との間の所定の部位、即ち図２，図３の符号Ａ，Ｂで示す部位には、若干の隙間空間が形成されるように、前面カバー部材２の内面に対する光学筐体４の配置が規定されている。
【００５２】
なお、この隙間空間Ａ，Ｂは、衝撃吸収部材２４の素材によって決まる弾性力や剪断方向の衝撃吸収力や、光学筐体４の重量や、カメラ１自体の重量や、衝撃等による加わる外力の力量等等、様々な要因によって設定されるものである。
【００５３】
そして、当該隙間空間Ａ，Ｂは、例えば光学筐体４の移動量を考慮すると充分な寸法を確保すべきものではあるが、より大きな衝撃力量を想定する等によって必要以上に広い隙間寸法を確保すると、カメラ本体を小型化するという要求に応えることができない。したがって、設計に際しては、装置の小型化をも合わせて考慮すると、本実施形態で例示するような小型カメラ等においては、例えば隙間空間Ａ，Ｂの寸法としては、それぞれ約１ｍｍ（ミリメートル）程度を確保している。
【００５４】
なお、衝撃吸収部材２４は、光学筐体４の背面側と板状オサエ部材２１との間に配置して構成する別の形態の衝撃吸収手段も考えられる。
【００５５】
したがって、光学筐体４の前面側に衝撃吸収部材を設ける上記一実施形態の構成例と、衝撃吸収手段を背面側に設ける上記別の構成例との両方を適用した構成例も考えられる。
【００５６】
以上説明したように上記一実施形態によれば、カメラ本体に対して光学筐体４を光学レンズの移動方向（第２の光軸Ｏ２に沿う方向；図４のＸ軸方向）に沿う方向にのみ移動可能に配設し、かつ衝撃等による外力が加わった場合には、カメラ本体の収納部２ｘ内部で光学筐体４が一定方向に相対的に変位したとき、光学筐体４とカメラ本体とが干渉しないように、光学筐体４の移動方向に所定の隙間を設けて、カメラ本体に対して光学筐体４を配置すると共に、光学筐体４の一面とカメラ本体内面との間に弾性を有する薄板形状の衝撃吸収部材２４が挟持されるように介在させて構成したので、衝撃吸収部材２４は、カメラ本体内部で光学筐体４が相対的に変位したとき、光学筐体４の一面とカメラ本体内の一面との間に生じる剪断方向の変位を吸収する。したがって、これにより、カメラ本体に対する外部からの衝撃等によって加わる外力を吸収し減衰させることができ、カメラ本体内部の光学筐体４を保護することができる。
【００５７】
また、衝撃吸収部材２４は、剪断方向の変位を吸収し得るようにしたので、より薄板形状で形成することができ、よって充分な衝撃吸収性を備えながらも装置の小型化に寄与することができる。
【００５８】
さらに、衝撃吸収部材２４は、移動のための空間を必要とする光学レンズの移動方向ではなく、光学レンズの移動方向に沿う面に配設するようにしたので、装置の小型化に寄与することができる。
【００５９】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【符号の説明】
【００６０】
１……カメラ
２……前面カバー部材
３……背面カバー部材
４……光学筐体
２１……板状オサエ部材
２３……薄板
２４……衝撃吸収部材
【図１】
2011130506.tif 000003
【図２】
2011130506.tif 000004
【図３】
2011130506.tif 000005
【図４】
2011130506.tif 000006
【図５】
2011130506.tif 000007
【図６】
2011130506.tif 000008
【図７】
2011130506.tif 000009
【図８】
2011130506.tif 000010